(57)【要約】  酸素センサは、酸素レベルを検出するための金属ポルフィリンを含む。酸素センサは、光源および検出器を含んでいてもよい。センサは、酸化還元反応に応答したスペクトルの変化を測定するよう構成される。センサは、溶液および気体状形態における酸素濃度の存在および変化に関して様々なサンプルを検出することができる。
2013528816.tif 000002
【特許請求の範囲】
【請求項１】
スペクトル分析のために構成された基板であって、酸素に結合するよう構成された金属ポルフィリンの少なくとも部分コーティングを含む基板
を含む、酸素センサ。
【請求項２】
前記金属ポルフィリンのポルフィリンが、ヘモグロビン、ヘムエリトリン、クロロクルオリン、バナビン、ピンナグロビン、ミオグロビン、エリスロクルオリン、ニューログロビン、レグヘモグロビン、シトグロビン、赤血球、またはこれらの任意の２種以上の混合物を含む、請求項１に記載の酸素センサ。
【請求項３】
前記金属ポルフィリンの金属が、鉄、バナジウム、マンガン、コバルト、ニッケル、銅、クロム、白金、パラジウム、銀、または金である、請求項１または請求項２に記載の酸素センサ。
【請求項４】
前記金属ポルフィリンが、マイクロビーズまたはマイクロカプセルを含む、請求項１〜３のいずれか一項に記載の酸素センサ。
【請求項５】
前記基板が、チャンバ、チューブ、またはチャネルを含む、請求項１〜４のいずれか一項に記載の酸素センサ。
【請求項６】
前記酸素センサが、スペクトルプロファイルを検出するための検出器をさらに含む、請求項１〜５のいずれか一項に記載の酸素センサ。
【請求項７】
前記スペクトルプロファイルが、放出スペクトルまたは吸収スペクトルである、請求項６に記載の酸素センサ。
【請求項８】
前記基板が、石英、ガラス、プラスチック、または塩を含む、請求項１〜７のいずれか一項に記載の酸素センサ。
【請求項９】
前記基板が、ＣａＦ２またはＭｇＦ２を含む塩である、請求項１〜７のいずれか一項に記載の酸素センサ。
【請求項１０】
気体透過性膜をさらに含む、請求項１〜９のいずれか一項に記載の酸素センサ。
【請求項１１】
スペクトル分析を可能にするよう構成されたチャンバと；
酸素に結合するよう構成され、マイクロビーズまたはマイクロカプセル内に包封された、金属ポルフィリンと
を含む、酸素センサ。
【請求項１２】
前記金属ポルフィリンのポルフィリンが、ヘモグロビン、ヘムエリトリン、クロロクルオリン、バナビン、ピンナグロビン、ミオグロビン、エリスロクルオリン、ニューログロビン、レグヘモグロビン、シトグロビン、赤血球、またはこれらの任意の２種以上の混合物を含む、請求項１１に記載の酸素センサ。
【請求項１３】
前記金属ポルフィリンの金属が、鉄、バナジウム、マンガン、コバルト、ニッケル、銅、クロム、白金、パラジウム、銀、または金である、請求項１１または請求項１２に記載の酸素センサ。
【請求項１４】
スペクトルプロファイルを検出するためのデバイスをさらに含む、請求項１１〜１３のいずれか一項に記載の酸素センサ。
【請求項１５】
前記スペクトルプロファイルが、放出スペクトルまたは吸収スペクトルである、請求項１４に記載の酸素センサ。
【請求項１６】
前記チャンバが、ＣａＦ２またはＭｇＦ２を含む塩である、請求項１１〜１５のいずれか一項に記載の酸素センサ。
【請求項１７】
サンプル中の酸素気体または溶解した酸素気体を検出するための方法であって：
酸素に結合するよう構成された金属ポルフィリンで少なくとも部分的にコーティングされた基板を含むチャンバ、
光源、および
検出器
を含む酸素センサに、サンプルを導入する工程；
前記金属ポルフィリンと前記サンプルとを接触させる工程；
前記チャンバおよびサンプルを前記光源で照明する工程；および
前記サンプルを導入する工程の前および後に光源のスペクトルプロファイルを検出する工程
を含む方法。
【請求項１８】
前記サンプルを導入する工程の後、前記チャンバのスペクトルプロファイルの変化を観察する工程をさらに含む、請求項１７に記載の方法。
【請求項１９】
前記スペクトルプロファイルが吸収スペクトルまたは放出スペクトルである、請求項１７または１８に記載の方法。
【請求項２０】
サンプルの酸素気体または溶解酸素気体含量を検出するための方法であって：
サンプルと、酸素に結合するよう構成された金属ポルフィリンとを、
チャンバ、
光源、および
検出器
を含む酸素センサ内で接触させる工程；
前記チャンバおよびサンプルを前記光源で照明する工程；および
前記サンプルを導入する工程前および後に前記サンプルのスペクトルプロファイルを検出する工程を含み、
前記金属ポルフィリンが、マイクロビーズもしくはマイクロカプセルを含むか、またはクラスレート化合物中に保持されている、方法。
【発明の詳細な説明】
【技術分野】
【０００１】
本発明の技術は、一般に、センサの分野に関する。
【背景技術】
【０００２】
以下の記述は、読者の理解を助けるために提供する。提供された情報の中に、従来技術であると認められるものはない。
【０００３】
液体および気体中の酸素の濃度をモニタすることは、多くの分野で必要とされている。このため、酸素センサまたは分析器が、広く様々な用途で利用されている。例えば、生物医学的用途では、液体血液サンプルおよび生理学的気体サンプル中の酸素含量を検出し測定するのに、様々なタイプの酸素センサを使用し；化学的用途には、ビール醸造プロセス中または染料および塗料の製造中に酸素の測定を必要とする製造プロセスが含まれ、環境に関する用途には、海洋生態系および発電所における酸素レベルをモニタすることが含まれる。
【先行技術文献】
【特許文献】
【０００４】
【特許文献１】米国特許第４，７８１，８８９号
【非特許文献】
【０００５】
【非特許文献１】American Journal of Pathology 159 (3) 1079-1088 (2001)
【発明の概要】
【発明が解決しようとする課題】
【０００６】
広範な用途を有するにも関わらず、現在利用可能な酸素分析器およびセンサには、長い検出時間、低い感度、限られた精度、限られたセンサ寿命、および１つの物理的形態またはその他の形態（即ち、液体または気体のいずれか）にある酸素を選択的に検出する能力などの欠点がある。
【０００７】
ポルフィリンは、金属イオンと錯体を形成することが可能な環形状のテトラピロールコアを有する大環状分子化合物である。金属ポルフィリンは、一般にその２価陰イオン形態で金属イオンに配位したポルフィリンの、様々な誘導体を含む錯体である。ポルフィリン核との金属イオンのこの配位は、ヘモグロビン、クロロフィル、およびシトクロムなどであるがこれらに限定されないいくつかの重要な生物学的化合物に類似した化合物をもたらす。
【課題を解決するための手段】
【０００８】
一態様では、酸素に結合するよう構成された金属ポルフィリンの少なくとも部分的なコーティングを含む、スペクトル分析のために構成された基板を含む、酸素センサが提供される。いくつかの実施形態では、金属ポルフィリンのポルフィリンは、ヘモグロビン、ヘムエリトリン、クロロクルオリン、バナビン、ピンナグロビン、ミオグロビン、エリスロクルオリン、ニューログロビン、レグヘモグロビン、シトグロビン、赤血球、または任意の２種以上のそのような金属ポルフィリンの混合物を含む。いくつかの実施形態では、金属ポルフィリンの金属は、鉄、バナジウム、マンガン、コバルト、ニッケル、銅、クロム、白金、パラジウム、銀、または金である。
【０００９】
いくつかの実施形態では、金属ポルフィリンは、金属を分子酸素によって酸素化することができる状態にある。いくつかの実施形態では、金属ポルフィリンは、マイクロビーズまたはマイクロカプセルを含む。いくつかの実施形態では、基板には、チャンバ、チューブ、またはチャネルが含まれる。
【００１０】
いくつかの実施形態では、酸素センサは、スペクトルプロファイルを検出するための検出器も含む。いくつかの実施形態では、スペクトルプロファイルは、放出スペクトルまたは吸収スペクトルである。
【００１１】
いくつかの実施形態では、基板には、石英、ガラス、プラスチック、または塩が含まれる。いくつかのそのような実施形態では、基板は、ＣａＦ２またはＭｇＦ２を含む塩である。いくつかの実施形態では、酸素センサは、気体透過性膜も含む。
【００１２】
別の態様では、スペクトル分析を可能にするよう構成されたチャンバと；酸素を結合するよう構成されかつマイクロビーズまたはマイクロカプセルを含んでいる金属ポルフィリンとを含む、酸素センサが提供される。いくつかの実施形態では、金属ポルフィリンのポルフィリンには、ヘモグロビン、ヘムエリトリン、クロロクルオリン、バナビン、ピンナグロビン、ミオグロビン、エリスロクルオリン、ニューログロビン、レグヘモグロビン、シトグロビン、赤血球、または任意の２種以上のそのようなポルフィリンの混合物が含まれる。いくつかの実施形態では、金属ポルフィリンの金属は、鉄、バナジウム、マンガン、コバルト、ニッケル、銅、クロム、白金、パラジウム、銀、または金である。
【００１３】
いくつかの実施形態では、金属ポルフィリンは、酸素を結合するよう構成された状態にある。いくつかの実施形態では、金属ポルフィリンは、マイクロビーズまたはマイクロカプセルを含む。いくつかの実施形態では、基板には、チャンバ、チューブ、またはチャネルが含まれる。
【００１４】
いくつかの実施形態では、酸素センサは、スペクトルプロファイルを検出するための検出器も含む。いくつかの実施形態では、スペクトルプロファイルは放出スペクトルまたは吸収スペクトルである。
【００１５】
いくつかの実施形態では、基板には、石英、ガラス、プラスチック、または塩が含まれる。いくつかのそのような実施形態では、基板は、ＣａＦ２またはＭｇＦ２を含む塩である。いくつかの実施形態では、酸素センサは、気体透過性膜も含む。
【００１６】
別の態様では、酸素を結合するよう構成された金属ポルフィリンで少なくとも部分的にコーティングされた基板と；基板を照明する(illuminate)よう構成された光源と；基板からの光を受信するよう構成された検出器とを含む、サンプルの酸素含量を測定するための装置が提供される。いくつかの実施形態では、光源は、紫外光、可視光、近赤外光、赤外光、または遠赤外光を放出する。いくつかの実施形態では、基板はさらに、気体透過性膜を含む。いくつかの実施形態では、基板が透明である。いくつかの実施形態では、基板は、モニタされた波長の赤外、紫外、または可視光を吸収しない。
【００１７】
いくつかの実施形態では、基板には、石英、ガラス、プラスチック、または塩が含まれる。いくつかのそのような実施形態では、基板は、ＣａＦ２またはＭｇＦ２を含む塩である。
【００１８】
いくつかの実施形態では、金属ポルフィリンは、マイクロカプセルまたはマイクロビーズを含む。いくつかの実施形態では、金属ポルフィリンは、酸素に結合することのできる状態にある。例えば金属ポルフィリンは、金属ポルフィリンの金属が酸素（Ｏ２）に結合できる状態にあってもよい。いくつかの実施形態では、基板は、サンプルが金属ポルフィリンに接触可能になるよう構成される。いくつかの実施形態では、サンプルは、液相または気相を含む。
【００１９】
いくつかの実施形態では、金属ポルフィリンのポルフィリンは、ヘモグロビン、ヘムエリトリン、クロロクルオリン、バナビン、ピンナグロビン、ミオグロビン、または赤血球を含む。いくつかの実施形態では、金属ポルフィリンの金属は、鉄、バナジウム、マンガン、コバルト、ニッケル、銅、クロム、白金、パラジウム、銀、および金である。
【００２０】
いくつかの実施形態では、検出器は、スペクトルプロファイルを検出することによってサンプルの酸素含量を検出するよう構成される。いくつかのそのような実施形態では、スペクトルプロファイルは、放出スペクトルまたは吸収スペクトルである。
【００２１】
別の態様では、サンプル中の酸素気体または溶解した酸素気体を検出するための方法であって：酸素に結合するよう構成された金属ポルフィリンで少なくとも部分的にコーティングされた基板を含むチャンバ、光源、および検出器を含む酸素センサに、サンプルを導入する工程；金属ポルフィリンとサンプルとを接触させる工程；チャンバおよびサンプルを光源で照明する工程；およびサンプルを導入する工程の前および後に光源のスペクトルプロファイルを検出する工程を含む方法が提供される。いくつかの実施形態では、前記方法は、サンプルを導入する工程の後の、チャンバのスペクトルプロファイルの変化を観察する工程を含む。いくつかのそのような実施形態では、スペクトルプロファイルは、吸収スペクトルまたは放出スペクトルである。いくつかの実施形態では、金属ポルフィリンは、サンプルを導入する前は酸素に結合することができる脱酸素化(deoxygenated)状態にあり、金属ポルフィリンの少なくとも一部は、サンプル導入後に酸素に結合する（即ち、酸素化状態）。
【００２２】
別の態様では、サンプルの酸素気体または溶解酸素気体含量を検出するための方法であって：サンプルと、酸素に結合するよう構成された金属ポルフィリンとを、チャンバ、光源、および検出器を含む酸素センサ内で接触させる工程；チャンバおよびサンプルを光源で照明する工程；およびサンプルの導入の前および後にサンプルのスペクトルプロファイルを検出する工程を含み、金属ポルフィリンが、マイクロビーズもしくはマイクロカプセルを含んでいるか、またはクラスレート化合物中に保持されている(retained)方法が提供される。
【００２３】
前述の概要は単なる例示であり、いかなる方法によっても限定しようとするものではない。上述の例示的な態様、実施形態、および特徴に加え、他の態様、実施形態、および特徴が、図面および以下の詳細な記述を参照することによって明らかにされよう。
【図面の簡単な説明】
【００２４】
【図１】一実施形態による、金属ポルフィリンが基板上で封鎖されている(sequested)、酸素センサを示す図である。
【図２】一実施形態による、気体または液体サンプル中の酸素含量を分析するための、酸素センサを示す図である。
【図３】一実施形態による、金属ポルフィリンが基板上で封鎖されている、サンプル中の酸素を検出するための酸素センサを示す図である。
【図４】一実施形態による、気体状サンプル中の酸素を検出するための、酸素透過性膜を有する酸素センサを示す図である。
【発明を実施するための形態】
【００２５】
以下の詳細な記述では、その一部を形成する添付図面を参照する。図面において、同様の符号は、他に文脈で指示しない限り同様の構成要素を典型的には特定する。詳細な記述、図面、および特許請求の範囲に記述される例示的な実施形態は、限定しようとするものではない。本明細書に提示される対象の精神または範囲から逸脱することなく、その他の実施形態を利用してもよく、その他の変更を行ってもよい。
【００２６】
一般に、本明細書には、酸素センサ、デバイス、装置と、そのようなセンサ、デバイス、および装置の使用方法が提供される。酸素センサは、サンプル中の酸素の存在および／またはサンプル中の酸素濃度を決定するために酸素に結合するよう構成された、金属ポルフィリンを利用する。測定は、金属ポルフィリンの存在下、サンプルのスペクトル分析を使用して、一般に行われる。
【００２７】
一態様では、分析を可能にするよう構成された基板を含み、酸素に結合するよう構成された金属ポルフィリンの少なくとも部分的なコーティングを含む、酸素センサが提供される。
【００２８】
金属ポルフィリンは、金属イオンに配位したポルフィリンの様々な誘導体を含む錯体を包含する。酸素結合能力を有する任意の適切なポルフィリンは、金属イオンと錯体を形成するのに使用することができる。そのようなポルフィリン錯体は、天然由来のものであってもよく、または合成方法により生成されてもよい。したがって一実施形態では、金属ポルフィリンのポルフィリンは、ヘモグロビン、ヘムエリトリン、クロロクルオリン、バナビン、ピンナグロビン、ミオグロビン、エリスロクルオリン、ニューログロビン、レグヘモグロビン、シトグロビン、赤血球、またはそれらの任意の２種以上の混合物を含むが、これらに限定されるものではない。金属ポルフィリンの金属は、ポルフィリン誘導体と錯体を形成することが可能であり、酸素気体と接触するかまたは溶液中で溶解した酸素と接触すると金属が酸素化するように酸素と結合することが可能な、任意の適切な金属とすることができる。
【００２９】
金属ポルフィリンの金属イオンは、形式的に還元された酸化状態（即ち、形式負電荷を有する）にあってもよく、または形式的に酸化された酸化状態（即ち、形式正電荷を有する）にあってもよいが、この状態は、酸素気体または溶解した酸素気体によるさらなる酸化に供される。金属は、金属が酸素に結合する酸化状態にあるべきである。
【００３０】
したがっていくつかの実施形態では、金属ポルフィリンの金属は、鉄、バナジウム、マンガン、コバルト、ニッケル、銅、クロム、白金、パラジウム、銀、または金であってもよいが、これらに限定されるものではない。例示的な実施形態では、例えば鉄含有金属ポルフィリンは、ヘモグロビン、ヘムエリトリン、クロロクルオリン、およびミオグロビンを含み、バナジウム含有金属ポルフィリン誘導体はバナビンを含み、マンガン含有誘導体はピンナグロビンを含む。
【００３１】
酸素センサでは、金属ポルフィリンは、酸素に結合するよう構成することができる。これは、酸素の存在下で金属ポルフィリンが酸素に結合するように、分析前に、脱酸素化状態で金属ポルフィリンを維持することによって実現することができる。金属ポルフィリンは、光化学的もしくは放射線化学的方法などの任意の公知の方法によって、または飽和二酸化炭素もしくは脱酸素水を使用することによって、脱酸素化することができる。したがって、ある例示的な実施形態では、金属ポルフィリンを、分析のためにサンプルに曝す前に、飽和二酸化炭素溶液または脱酸化(deoxidized)水に接触させてもよく、その結果、金属ポルフィリンの脱酸素化が行われる。いくつかの実施形態では、金属ポルフィリン錯体の酸化状態は、それを酸素検出用に使用する前に調節することができる。したがって一実施形態では、金属ポルフィリンは、形式的に還元された酸化状態にあってもよい。その他の実施形態では、金属ポルフィリンは、形式的に酸化された酸化状態にある。
【００３２】
金属ポルフィリン化合物は、溶液として使用されてもよく、またはその他の形に剤形化(formulated)されてもよい。したがって一実施形態では、金属ポルフィリンは、マイクロビーズまたはマイクロカプセルの形で存在してもよい。例えば例示的な実施形態では、金属ポルフィリン錯体は、リン脂質二重層膜内に包封されて(encapsulated within)いてもよい。そのような包封は、例えば、高純度金属ポルフィリンと、適切なリン脂質、例えばＰｒｅｓｏｍｅ  ＰＰＧ−Ｉで構成された脂質二重層とを混合することによって作製された、リン脂質小胞を使用することによって実現されてもよい。混合物は、適切な温度で適切な時間、撹拌することができ、得られた多重層小胞は、適切な膜フィルタを通して押し出すことができる。小胞の表面は、その機械的および構造的性質が改善されるように、ポリ（エチレングリコール）でさらに改質されてもよい。
【００３３】
その他の例示的な実施形態では、金属ポルフィリンは、クラスレート化合物により保持されてもよい。一実施例では、クラスレートとしてのシクロデキストリンダイマーを、金属ポルフィリン錯体を保持するのに使用してもよい。そのようなシクロデキストリンダイマーは、例えば、５，１０，１５，２０−テトラキス−（４−スルホナトフェニル）ポルフィナト鉄（ＩＩ）（ＦｅＩＩＰ）と、イミダゾールリンカー（ＩｍＣＤ）を有するＯ−メチル化β−シクロデキストリンダイマーとの１：１の包接錯体を形成することによって、調製されてもよい。
【００３４】
上述のように、酸素センサは、分析が可能になるよう構成された基板を含む。基板は、分析を容易にする任意の適切な物理形態、形状、または幾何形状にすることができる。したがって一実施形態では、基板は、サンプルのスペクトル分析中に使用される数ある構成の中でも、平らなパネル、チャンバ、受容器セル、チューブ、またはチャネルを含んでいてもよい。例示的な実施形態では、基板は、例えばスライドガラスなどの平らなパネルである。基板は、耐久性があり酸素含量の分析を可能にする、当技術分野で公知の任意の適切な材料で作製することができる。いくつかの実施形態では、基板は、光源から放出された光または電磁放射線の通過を可能にする任意の材料を含む。基板は、サンプル中の酸素の存在および／または濃度を決定するためにモニタされることになるサンプルおよび金属ポルフィリンのスペクトル領域の観察を妨げまたは遮断する、分光バックグラウンドノイズを生成すべきでない。いくつかの実施形態では、基板に、石英、ガラス、プラスチック、または塩が含まれる。その他の実施形態では、基板は、ＣａＦ２またはＭｇＦ２を含む塩であってもよい。
【００３５】
いくつかの実施形態では、基板は、金属ポルフィリンで少なくとも部分的にコーティングされる。その他の実施形態では、基板は、金属ポルフィリンで完全にコーティングされていてもよい。基板は、吸着、化学結合、イオン交換、または電気化学重合などであるがこれらに限定されない適切な方法によって、金属ポルフィリンでコーティングされていてもよい。いくつかの実施形態では、金属ポルフィリンの薄膜は、基板とコーティングするのに使用してもよい。その他の実施形態では、金属ポルフィリンは、マイクロビーズに結合されてもよく、マイクロカプセルまたはクラスレート錯体に包封されてもよく、次いで基板上に固定されてもよい。マイクロビーズは、ＭＡＣＳ（登録商標）ビーズ（Ｍｉｌｔｅｎｙｉ  Ｂｉｏｔｅｃｈから入手可能）を含んでいてもよい。したがって、いくつかの実施形態では、金属ポルフィリンを含むマイクロビーズまたはマイクロカプセルまたはクラスレート錯体は、例えばアクリル、ウレタン、またはエポキシ型樹脂などの非水性樹脂を含むがこれらに限定されない適切な固定剤を使用して、基板に固定されてもよい。ある実施形態では、重合性材料または固定剤を基板に付着させてもよく、そこに金属ポルフィリンを含むマイクロカプセルまたはマイクロビーズを、光硬化または熱硬化法などの方法を使用して固定してもよい。
【００３６】
酸素センサは、気体および液体の両方のサンプルの酸素含量の分析を可能にするよう構成されてもよい。一態様では、分析は、スペクトル分析である。金属ポルフィリンが酸素に結合するにつれ、吸収スペクトルまたは放出スペクトルは、サンプル中の金属ポルフィリン−酸素錯体の量に応答して変化する。したがって酸素センサは、スペクトルプロファイルを検出するための検出器をさらに含んでいてもよい。いくつかの実施形態では、スペクトルプロファイルは、吸収または放出であってもよい。透過スペクトルをモニタすることができるが、これは、データが逆に提示示される状態の、吸収スペクトルの決定と同じ実験であることに留意されたい。
【００３７】
一実施形態では、酸素センサは、図１に示される通りである。図１に示されるように、金属ポルフィリン１４は、基板６上にコーティングされてもよい。いくつかの実施形態では、基板は部分的にコーティングされ、その他の実施形態では稠密にコーティングされ、唯一の制約は、サンプル中に酸素を捕獲するのに十分な金属ポルフィリンがあることである。固定剤８は、コーティングを助けるのに使用してもよい。金属ポルフィリン１４は、任意選択でマイクロカプセル内にあってもよく、脱酸素化状態で維持されていてもよい。金属ポルフィリンの、脱酸素化状態での維持は、脱酸素化した水または二酸化炭素で飽和させた水１２を使用して容易に行うことができる。検出されるサンプルは、基板の入口２を介して導入することができる。気体状サンプルは、気体透過性（即ち、酸素透過性）膜１６を通して導入してもよい。
【００３８】
基板はさらに、液体と気体の両方のサンプルの分析が可能になるように構成されていてもよい。したがって基板は、液体および気体状サンプルを導入させる入口を含んでいてもよい。液体サンプルの分析が可能になるように基板が構成される場合、基板は金属ポルフィリンでコーティングされてもよく、または包封された金属ポルフィリンが分析のためにサンプルに導入されてもよい。
【００３９】
気体状サンプルの分析が可能になるよう基板が構成される実施形態では、金属ポルフィリンが基板上にコーティングされ、気体状サンプルが導入され、金属ポルフィリンと接触する。いくつかの実施形態では、センサは、金属ポルフィリンとサンプルとを分離するが、サンプル中の酸素を膜を透過して金属ポルフィリンまで移行させる気体透過性膜を含んでいてもよい。膜は、金属ポルフィリン、または金属ポルフィリンを有するその他の試薬が、膜を透過してサンプルまで移行するのも防止する。気体透過性膜は、ポリテトラフルオロエチレン（ＰＴＦＥまたはテフロン（登録商標））、ポリスルホン、ポリアクリロニトリル、ポリエチレンテレフタレート、ポリブチレンテレフタレート、ポリカーボネート、ポリウレタン、ナイロン−６６、ナイロン−６、セルロースアセテート、シリコーンゴム、セロファン、ラテックスゴム、ポリエチレン、およびポリプロピレン、およびこれらの任意の２種以上の混合物またはブレンドなどであるがこれらに限定されることのない、任意の合成不活性固体ポリマー材料で作製されてもよい。例示的な実施形態では、気体透過性膜にはテフロン（登録商標）が含まれる。使用される材料に関わらず、膜は酸素に対して透過性であるべきであり、必要な機械的強度を有するべきである。透過性膜の一例は、ナノ多孔性中空糸膜を開示している米国特許第４，７８１，８８９号に記載されている。機械的強度は、そのような膜の物理的寸法によって与えることができる。いくつかの実施形態では、透過性膜は、５μｍ〜８０μｍ、または１０μｍ〜３０μｍの厚さを有する。いくつかの実施形態によれば、透過性膜は、０．０１μｍ〜５μｍ、または０．０１μｍ〜２μｍの孔径を有する。
【００４０】
別の態様では、分析が可能になるよう構成されたチャンバと、酸素に結合するよう構成された金属ポルフィリンとを含む酸素センサが提供される。金属ポルフィリン化合物は、溶液として使用してもよく、または場合によりより安定な別の形に剤形化されてもよい。したがって、一実施形態では、金属ポルフィリンは、マイクロビーズまたはマイクロカプセルの形で存在させてもよい。その他の実施形態では、金属ポルフィリンは、クラスレート化合物により保持されてもよい。そのようなセンサの一実施形態を、図２に示す。図に見られるように、装置は、分析されるサンプルまたは金属ポルフィリンを脱酸素化状態２５で保持し、かつ脱酸素化状態３５にあるサンプルまたは金属ポルフィリンを注射器３０またはその他の注入デバイスを介して導入することができる入口１５を有する、チャンバ２０を含む。サンプルまたは金属ポルフィリンは、手動でまたは自動的に、チャンバに導入することができる。注射器３０は、簡単に例示しただけであるが、注入メカニズムは、当技術分野で公知の任意のそのようなデバイスにすることができる。いくつかの実施形態では、注入器は、量が既知の金属ポルフィリン３５の注入が可能になるように較正される。センサは、光源５５および検出器５０も任意選択で含む。
【００４１】
チャンバは、分析を容易にする任意の適切な物理形態、形状、または幾何形状にすることができる。したがって一実施形態では、チャンバは、チャンバ、受容器セル、チューブ、またはチャネルを含んでもよい。チャンバは、酸素含量の分析を可能にする、当技術分野で公知の任意の適切な材料で作製することができる。いくつかの実施形態では、チャンバは、光源からの光または電磁放射線を透過させる任意の材料を含む。一実施形態では、チャンバは、石英、ガラス、プラスチック、または塩を含んでもよい。いくつかの実施形態では、チャンバは、ＣａＦ２もしくはＭｇＦ２などの塩、またはスペクトル分析を行うことができる電磁スペクトルの領域で吸収しないその他の塩で作製されてもよい。
【００４２】
いくつかの実施形態では、チャンバは、空気から隔離されるように構成され、したがって空気はチャンバに進入せず、金属ポルフィリンを不注意に酸素化することがない。よって、チャンバを覆いまたはチャンバ内部に自由に進入できないようにする、気体透過性のカバーまたは隔壁をチャンバと共に含んでもよい。
【００４３】
別の態様では、サンプルの酸素含量を測定するための装置が提供される。いくつかの実施形態では、装置は、金属ポルフィリンで少なくとも部分的にコーティングされた基板と；基板を照明するよう構成された光源と；基板からの光を受信するよう構成された検出器とを含む。一実施形態では、例示的な装置は図３に示される通りである。図３に示されるように、金属ポルフィリン１３５は、基板１１０上にコーティングされてもよい。図示されるように、コーティングを支えるのに固定剤１１２を使用してもよい。示されるように、金属ポルフィリン１３５は、任意選択でマイクロカプセル内にあってもよく、脱酸素化状態で維持されてもよい。検出されるサンプル１４５は、サンプル注入器１４０を使用して、基板の入口１１５を介して導入することができる。上述のように、注入器は例示であり、液体または気体状サンプルの導入を可能にする任意のデバイスまたはメカニズムに置き換えることができる。センサは、光源１５０および検出器１５５も含む。基板およびサンプルは、チャンバ内に収容されてもよい。
【００４４】
センサで使用される光源は、サンプルおよび基板を照明するため光を放出することができる、任意の適切な光放出デバイスとすることができる。そのような適切な光発光デバイスの例には、半導体レーザ、重水素放電管、タングステンフィラメント、白熱電球、蛍光灯、ネオンライト管、蒸気ランプ、発光ダイオード（ＬＥＤ）などが含まれる。いくつかの実施形態では、光源は、紫外光、可視光、近赤外光、赤外光、または遠赤外光を放出してもよい。例示的な実施形態では、光源は、可視光を放出してもよい。いくつかの実施形態では、光源は、スペクトルの紫外、可視、または近、中、もしくは遠赤外領域の波長の放射線を放出してもよい。いくつかの実施形態では、放射線は、０．２μｍ〜０．４μｍの波長の紫外線を含む。いくつかの実施形態では、放射線は、０．４μｍ〜０．７５μｍの波長の可視光線を含む。いくつかの実施形態では、放射線は、０．００１μｍ〜１０００μｍの波長の放射線を含んでいてもよい。その他の実施形態では、放射線は、０．７５μｍ〜２．５μｍの波長を有する近赤外線を含む。別の実施形態では、放射線は、２．５μｍ〜２５μｍの波長を有する中赤外線を含む。さらに別の実施形態では、放射線は、１０μｍ〜１０００μｍの波長を有する遠赤外線を含む。例示的な実施形態では、可視光を使用することができる。そのような実施形態では、光の波長は、３００ｎｍ〜１０００ｎｍ、および３００ｎｍ〜７００ｎｍなどに及んでもよい。単一波長が照明に使用される場合、例えばレーザが光源である場合、いくつかの適切な波長は、９４０ｎｍ、７８０ｎｍ、６６０ｎｍ、５８９ｎｍ、４６８ｎｍ、４４０ｎｍ、および４０５ｎｍなどを含むことができるが、これらに限定するものではない。いくつかの実施形態では、紫外〜可視光励起による可視〜近赤外放出スペクトルを使用してもよい。
【００４５】
スペクトルプロファイルを検出するための検出器は、当技術分野で周知である。例えば、そのような検出器には、遠赤外線源、赤外線源、近赤外線源、紫外線−可視光線源を検出するためのものが含まれる。検出器に関する唯一の制約は、使用される特定の光源からの光、およびサンプルを透過したまたはサンプルによって放出された任意の光を検出するように構成されることである。
【００４６】
いくつかの実施形態では、基板材料は、光源からの光がかなりの偏向または散乱なしに通過可能になるようなものである。その他の実施形態では、基板は、モニタされる波長で赤外、紫外、または可視光吸光度を吸収せず、またはモニタされるスペクトル領域を干渉しない波長でこれらの１つもしくは複数を吸収するようなものである。いくつかの実施形態では、基板は透明であってもよい。その他の実施形態では、基板は、上述のような光源によって放出された光の透過を可能にする適切な材料で作製されてもよい。
【００４７】
金属ポルフィリンは、上述の様々な実施形態で論じられたように、様々な金属およびポルフィリン誘導体で構成されてもよい。金属ポルフィリンは、マイクロビーズまたはマイクロカプセルを含んでいてもよく、上記にて論じた方法によって脱酸素化状態にあってもよい。その他の実施形態では、金属ポルフィリンは、上記にて論じたクラスレート錯体によって保持されてもよい。いくつかの実施形態では、金属ポルフィリンは、サンプルからの酸素を吸収するよう構成されたマイクロカプセルを含む。
【００４８】
様々な実施形態では、基板は、サンプルを金属ポルフィリンに接触させるように構成されてもよい。上述のように、サンプルは、液相または気相を含んでいてもよい。したがって基板は、分析を行うために液体または気体状サンプルを金属ポルフィリンに接触させるような手法で構成されていてもよい。いくつかの実施形態では、液体サンプルは、金属ポルフィリンで少なくとも部分的にコーティングされた基板に直接導入することができる。いくつかの実施形態では、基板は、液体または気体状サンプルを導入することができる入口を含んでいてもよい。いくつかの実施形態では、基板は、酸素を含有する気体状サンプルを通過させるため、上述の気体透過性膜をさらに含んでいてもよい。そのような実施形態を図４に示す。図からわかるように、酸素センサは、酸素透過性膜２６０と、脱酸素化水または二酸化炭素飽和水２２５を使用して脱酸素化状態に維持された金属ポルフィリンマイクロカプセル１３５でコーティングされた基板２１０とを含む。検出される気体状サンプル２８０は、酸素透過性膜２６０を通して導入することができる。センサは、光源２５０および検出器２５５も含む。空気が透過性膜２６０内を早めに通過しないように、気体不透過性のカバーまたは隔壁を、透過性膜２６０の上または周りに配置してもよい。次いでカバーまたは隔壁は、サンプルの酸素含量を測定するため除去することができる。
【００４９】
いくつかの実施形態では、基板は、金属ポルフィリンで少なくとも部分的にコーティングされる。上述のような様々な金属および種々のポルフィリン誘導体を使用することができる。いくつかの実施形態では、金属ポルフィリンは、マイクロカプセルまたはマイクロビーズを含んでいてもよい。その他の実施形態では、金属ポルフィリンは、サンプルからの酸素を吸収するように構成される。
【００５０】
基板によって透過された光は、基板からの光を受信するように構成された検出器によって検出することができる。様々な検出器を、検出される光放射線のタイプに応じて使用することができる。したがっていくつかの実施形態では、ＵＶ検出器、ＩＲ検出器、ＵＶ／ＩＲ検出器、ＩＲ／ＩＲ検出器、およびＵＶ／可視光検出器を使用することができる。いくつかの実施形態では、検出器は、スペクトルプロファイルを検出することによってサンプルの酸素含量を検出するよう構成される。いくつかの実施形態では、スペクトルプロファイルは、放出スペクトルまたは吸収スペクトルである。
【００５１】
別の態様では、サンプル中の酸素気体または溶解した酸素気体を検出するための方法が提供される。一実施形態では、この方法は：金属ポルフィリンで少なくとも部分的にコーティングされた基板を含むチャンバ、光源、および検出器を含む酸素センサに、サンプルを導入する工程；金属ポルフィリンとサンプルとを接触させる工程；チャンバおよびサンプルを光源で照明する工程；およびサンプルを導入する工程の前および後に光源のスペクトルプロファイルを検出する工程を含む。したがって、光源からの光はサンプル内を通過して検出器に至り、吸収または透過光のスペクトル分布が測定される。
【００５２】
本技術の方法は、任意のサンプル中の酸素の存在および量を検出するのに使用することができる。サンプルは、液体または気体状形態にすることができる。サンプルは、化学的サンプル、生物学的サンプル、および環境上のサンプルなどとすることができる。いくつかの実施形態では、サンプルは、分析前に、既知の濃度に調節してもよい。いくつかの実施形態では、サンプルは、懸濁物質および微粒子などの影響をスペクトル分析前に排除できるように、濾過しまたは精製する必要があると考えられる。例示的な実施形態では、サンプルは、例えば廃水処理プラント、ワイン生産プロセス、生体反応、環境水試験、炭化水素燃料、バイオ燃料、血液、血漿、および組織サンプルなどからのサンプルとすることができる。
【００５３】
いくつかの実施形態では、上述の酸素センサは、サンプル中の酸素気体または溶解した酸素気体を検出するための方法で使用される。上記装置セクションで論じられたように、酸素センサは、金属ポルフィリンで少なくとも部分的にコーティングされた基板と、光源と、検出器とを含む。
【００５４】
金属ポルフィリンは、上記様々な実施形態で論じられた様々な金属およびポルフィリン誘導体から構成されてもよい。金属ポルフィリンは、マイクロビーズもしくはマイクロカプセルを含んでいてもよく、またはクラスレート化合物により保持されていてもよい。この方法のある実施形態では、金属ポルフィリンは、サンプルを導入する前は脱酸素化状態にあり、脱酸素化状態にある金属ポルフィリンの少なくとも一部は、酸素の結合によって酸素化状態に変換される。金属ポルフィリン化合物は、光化学的もしくは放射線化学的方法などの当技術分野で公知であり上記にて示される一般的な方法によって、または二酸化炭素もしくは脱酸素化水を使用することによって、脱酸素化状態に維持することができる。したがって、例えば、金属ポルフィリンでコーティングされた基板は、サンプルと接触させる前に、水性二酸化炭素溶液または脱酸素化水に接触させてもよい。
【００５５】
理論に拘泥するものではないが、当初は脱酸素化状態にある金属ポルフィリン化合物は、サンプル中の酸素と容易に結合し、それによってその化学構造が変化すると考えられる。脱酸素化状態から酸素化状態への金属ポルフィリンの化学構造のこの変化は、スペクトル特性の変化を引き起こし、この変化を、サンプル中の酸素の量を検出するのに使用することができる。したがっていくつかの実施形態では、この方法はさらに、サンプル導入後のチャンバのスペクトルプロファイルの変化を観察する工程を含む。いくつかの実施形態では、スペクトルプロファイルは吸収または放出スペクトルである。
【００５６】
記述したように、スペクトル特性の変化はサンプル中の酸素の存在を知らしめることができ、それらの変化の大きさは、サンプル中の酸素濃度を示すことができる。さらに基準は、既知の量の酸素によって、所与の大きさの、既知のスペクトルの変化がもたらされるように設定することができる。次いで基準に基づいて、所与の金属ポルフィリンに関するサンプル中の酸素の量について、較正曲線を決定することができる。次いで較正曲線は、サンプル中の酸素含量の定量の根拠をなすことができる。したがって一実施形態では、方法は：金属ポルフィリンで少なくとも部分的にコーティングされた基板、光源、および検出器を含む酸素センサに、サンプルを導入する工程；金属ポルフィリンとサンプルとを接触させる工程；チャンバおよびサンプルを光源で照明すること；サンプルのスペクトルプロファイルを検出する工程；およびサンプル中に存在する酸素の量を決定するために、スペクトルプロファイルと所定の較正曲線とを比較する工程を含む。
【００５７】
本明細書に記述された酸素センサおよび装置は、較正曲線を使用して酸素濃度を決定することができる。較正曲線は、サンプル中の化学種の濃度と検出器のスペクトル出力との関係について記述する比例式を表すグラフである。この場合、化学種は、サンプル中の酸素である。水平なＸ軸は、サンプル気体中の酸素濃度を表し、垂直なＹ軸は、検出器の出力シグナルを表す。酸素濃度が既知の標準サンプルを調製し、金属ポルフィリンに接触させ、対応する検出器の応答を使用して較正曲線をプロットする。次いで酸素濃度がわからないサンプルを酸素センサ内に通し、検出器の出力を書き留める。次いでこの検出器シグナルを、較正曲線を使用して酸素濃度を決定するのに使用する。
【００５８】
別の態様では、サンプルの酸素気体または溶解酸素気体含量を検出するための方法が提供される。いくつかの実施形態では、方法は：チャンバ、光源、および検出器を含む酸素センサ内でサンプルおよび金属ポルフィリンを接触させる工程；チャンバおよびサンプルを光源で照明する工程；およびサンプルのスペクトルプロファイルを検出する工程を含み、この金属ポルフィリンは、マイクロビーズもしくはマイクロカプセルを含むものであるかまたはクラスレート化合物中に保持されるものである。したがって酸素の存在は、酸素と金属ポルフィリンとを接触させる前と後に測定されたスペクトル特性の変化によって検出することができ、または酸素の濃度は、スペクトル特性を、酸素濃度が既知のサンプルに関連付けた較正曲線を参照することによって、決定することができる。
【００５９】
チャンバを含む酸素センサは、上記にて開示されたように設計することができる。いくつかの実施形態では、検出されるサンプルは、チャンバに導入され、その後、金属ポルフィリンが脱酸素化状態で導入されてもよい。その他の実施形態では、脱酸素化状態にある金属ポルフィリンをチャンバに導入し、その後、検出されるサンプルを導入してもよい。サンプルと金属ポルフィリンとをチャンバ内で接触させた後、チャンバを、センサからの光源で照明してもよい。サンプルのスペクトルプロファイルは、検出器を使用して検出してもよい。したがって酸素の存在は、酸素および金属ポルフィリンを接触させる前および後に測定されたスペクトル特性の変化によって検出することができ、または酸素の濃度は、スペクトル特性を、酸素濃度が既知のサンプルに関連付けた、較正曲線を参照することによって決定することができる。
【００６０】
一実施形態によるデバイスの例示的な例として、１０ｃｍ×５ｃｍ×２ｃｍの寸法を有するガラスチャンバおよび基板を使用してもよい。このために、ＵＶ−ＶＩＳ分光計とタングステンハロゲン光源とを連結する。デバイスを較正するために、脱酸素化ヘモグロビンマイクロカプセルをチャンバに添加し、吸光度を６６０ｎｍおよび９４０ｎｍで測定する。次いでサンプル（０．１ｍｌ）を、マイクロカプセルを有するチャンバ内に導入し、吸光度を６６０ｎｍおよび９４０ｎｍで再び測定する。これら２つの波長での吸収の相違から、サンプル中の酸素の量を決定することができる。
【００６１】
例示的な実施例のヘモグロビンマイクロカプセルは、American Journal of Pathology 159 (3) 1079-1088 (2001)に記載されている方法に従い調製することができる。例示的な例のサンプルは、較正曲線を作成するときには濃度が既知の溶液であってもよく、または未知のサンプルは、川、湖、もしくはその他の供給源からの水、または酸素を含有する溶媒など、任意の供給源のものであってもよい。
【００６２】
本明細書に例示的に記述された実施形態は、本明細書に具体的に開示されていない任意の１つまたは複数の要素、１つまたは複数の限定が存在しない状態で、適切に実施することができる。したがって例えば、「含む（including）」、「含む（including）」、「含有する（containing）」などの用語は、拡張的にかつ限定することなく読むものとする。さらに、本明細書で用いられた用語および表現は、説明の用語として、限定するものではないものとして使用しており、そのような用語および表現を、図示され記述された特徴の任意の均等物またはその部分を除外するのに使用する意図はなく、特許請求の範囲に記載された技術の範囲内にある様々な修正例が可能であることが理解される。さらに、「本質的に〜からなる（consisting essentially of）」という文言は、具体的に列挙されたような要素、および特許請求の範囲に記載された技術の基本的および新規な特徴に物質的に影響を及ぼさないような追加の要素を含むことがと理解されよう。「〜からなる（consisting of）」という文言は、指定されていないいかなる要素も排除する。
【００６３】
本明細書で言及される全ての刊行物、特許出願、発行特許、およびその他の文献は、個々の刊行物、特許出願、発行特許、またはその他の文献のそれぞれが、その全体として参照により組み込まれることを具体的にかつ個別に示すかのように、参照により本明細書に組み込まれる。参照により組み込まれた文脈に含有される定義は、それがこの開示において矛盾する限りにおいて除外される。
【００６４】
均等物
本開示は、本出願に記述される特定の実施形態に関して限定しようとするものではない。当業者に明らかにされるように、その精神および範囲から逸脱することなく多くの修正および変更を行うことができる。本明細書に列挙されたものに加え、開示の範囲内にある機能的に均等な方法および装置は、先の記述から当業者に明らかにされよう。そのような修正例および変更例は、添付される特許請求の範囲内に包含されるものとする。本開示は、そのような特許請求の範囲が適用される均等物の全範囲と共に、添付される特許請求の範囲の用語によってのみ限定される。この開示は、特定の方法、試薬、化合物、組成物、または生体系に限定されず、当然ながら変化させることができることが理解される。本明細書で使用された専門用語は、単に特定の実施形態について記述することを目的とし、限定するものではないことも理解される。
【００６５】
さらに、開示の特徴または態様がマーカッシュ群（Markush group）の観点から記述される場合、当業者なら、開示は、マーカッシュ群の任意の個々のメンバーまたはメンバーのサブグループの観点から、それによって記述されることも理解されよう。
【００６６】
当業者に理解されるように、任意のおよび全ての目的で、特に書面による明細書を提供することに関し、本明細書に開示される全ての範囲は、任意のおよび全ての可能な部分範囲およびそれらの部分範囲の組合せも包含する。任意の列挙された範囲は、その範囲を少なくとも均等な半分、３分の１、４分の１、５分の１、１０分の１などに分割することを十分に記述しておりまたそのように分割できることを、容易に認識することができる。非限定的な例として、本明細書に論じられる各範囲は、下３分の１、中３分の１、および上３分の１などに容易に分割できる。やはり当業者に理解されるように、「〜まで（up to）」、「少なくとも（at least）」、「〜超（greater than）」、および「〜未満（less than）」などの全ての言語は、列挙された数値を含み、上記にて論じたように部分範囲に引き続き分割できる範囲を指す。最後に、当業者に理解されるように、範囲は、個々のメンバーそれぞれを含む。
【００６７】
様々な態様および実施形態について本明細書に論じてきたが、その他の態様および実施形態が当業者に明らかにされよう。本明細書に開示された様々な態様および実施形態は、例示を目的とするものであり、限定しようとするものではなく、真の範囲および精神は下記の特許請求の範囲によって示される。
【００６８】
本明細書に引用される全ての参考文献はその全体が全ての目的で、個々の刊行物、特許、または特許出願のそれぞれの全体が全ての目的で参照により特にかつ個別に組み込まれるかのようなその限りにおいて、参照により組み込まれる。
【図１】
2013528816.tif 000003
【図２】
2013528816.tif 000004
【図３】
2013528816.tif 000005
【図４】
2013528816.tif 000006
【手続補正書】
【提出日】平成25年1月11日(2013.1.11)
【手続補正１】
【補正対象書類名】特許請求の範囲
【補正対象項目名】全文
【補正方法】変更
【補正の内容】
【特許請求の範囲】
【請求項１】
スペクトル分析のために構成された基板であって、酸素に結合するよう構成された金属ポルフィリンの少なくとも部分コーティングを含む基板と；
前記基板を照明するよう構成された光源と；
前記基板からの放出スペクトルまたは吸収スペクトルを検出するよう構成された検出器と
を含む酸素センサ装置であって、
前記金属ポルフィリンが、マイクロビーズまたはマイクロカプセルを含み；
前記金属ポルフィリンのポルフィリンが、ヘモグロビン、ヘムエリトリン、クロロクルオリン、バナビン、ピンナグロビン、ミオグロビン、エリスロクルオリン、ニューログロビン、レグヘモグロビン、シトグロビン、赤血球、またはこれらの任意の２種以上の混合物を含む、酸素センサ装置。
【請求項２】
前記金属ポルフィリンの金属が、鉄、バナジウム、マンガン、コバルト、ニッケル、銅、クロム、白金、パラジウム、銀、または金である、請求項１に記載の酸素センサ装置。
【請求項３】
前記基板が、チャンバ、チューブ、またはチャネルを含む、請求項１に記載の酸素センサ装置。
【請求項４】
前記基板が、石英、ガラス、プラスチック、または塩を含む、請求項１に記載の酸素センサ装置。
【請求項５】
前記基板が、ＣａＦ２またはＭｇＦ２を含む塩である、請求項１に記載の酸素センサ装置。
【請求項６】
気体透過性膜をさらに含む、請求項１に記載の酸素センサ装置。
【請求項７】
スペクトル分析を可能にするよう構成されたチャンバと；
酸素に結合するよう構成され、マイクロビーズまたはマイクロカプセル内に包封された、金属ポルフィリンと；
前記チャンバを照明するよう構成された光源と；
前記チャンバからの放出スペクトルまたは吸収スペクトルを検出するよう構成された検出器と
を含む酸素センサ装置であって、
前記金属ポルフィリンのポルフィリンが、ヘモグロビン、ヘムエリトリン、クロロクルオリン、バナビン、ピンナグロビン、ミオグロビン、エリスロクルオリン、ニューログロビン、レグヘモグロビン、シトグロビン、赤血球、またはこれらの任意の２種以上の混合物を含む、酸素センサ装置。
【請求項８】
前記金属ポルフィリンの金属が、鉄、バナジウム、マンガン、コバルト、ニッケル、銅、クロム、白金、パラジウム、銀、または金である、請求項７に記載の酸素センサ装置。
【請求項９】
前記チャンバが、ＣａＦ２またはＭｇＦ２を含む塩である、請求項７に記載の酸素センサ装置。
【請求項１０】
酸素に結合するよう構成された金属ポルフィリンで少なくとも部分的にコーティングされた基板を含むチャンバ、
光源、および
検出器
を含む酸素センサに、サンプルを導入する工程；
前記金属ポルフィリンと前記サンプルとを接触させる工程；
前記チャンバおよびサンプルを前記光源で照明する工程；および
前記サンプルを導入する工程の前および後に放出スペクトルまたは吸収スペクトルを検出する工程
を含む、サンプル中の酸素気体または溶解した酸素気体を検出するための方法であって、
前記金属ポルフィリンがマイクロビーズまたはマイクロカプセルを含み；
前記金属ポルフィリンのポルフィリンが、ヘモグロビン、ヘムエリトリン、クロロクルオリン、バナビン、ピンナグロビン、ミオグロビン、エリスロクルオリン、ニューログロビン、レグヘモグロビン、シトグロビン、赤血球、またはこれらの任意の２種以上の混合物を含む、方法。
【請求項１１】
サンプルと、酸素に結合するよう構成された金属ポルフィリンとを、
チャンバ、
光源、および
検出器
を含む酸素センサ内で接触させる工程；
前記チャンバおよびサンプルを前記光源で照明する工程；および
前記サンプルの導入の前および後に前記サンプルの放出スペクトルまたは吸収スペクトルを検出する工程
を含む、サンプルの酸素気体または溶解酸素気体含量を検出するための方法であって、
前記金属ポルフィリンが、マイクロビーズもしくはマイクロカプセルを含むか、またはクラスレート化合物中に保持され；
前記金属ポルフィリンのポルフィリンが、ヘモグロビン、ヘムエリトリン、クロロクルオリン、バナビン、ピンナグロビン、ミオグロビン、エリスロクルオリン、ニューログロビン、レグヘモグロビン、シトグロビン、赤血球、またはこれらの任意の２種以上の混合物を含む、方法。
【請求項１２】
前記金属ポルフィリンの金属が、鉄、バナジウム、マンガン、コバルト、ニッケル、銅、クロム、白金、パラジウム、銀、または金である、請求項１０に記載の方法。
【請求項１３】
前記金属ポルフィリンの金属が、鉄、バナジウム、マンガン、コバルト、ニッケル、銅、クロム、白金、パラジウム、銀、または金である、請求項１１に記載の方法。
【国際調査報告】
2013528816.tif 000007
2013528816.tif 000008